(57)【要約】【課題】狭額縁化によりデザイン上の品位を高めるとともに、小型の簡易な設備により低コストで製造できるキャビネットを備えた表示装置を提供する。【解決手段】表示モジュール２０の周縁部を枠状に囲む前キャビネット１０は、４つの部材に分割される。それぞれの部材は、断面の一部がコの字型を形成するように曲折され、その部分が表示モジュール２０の周縁部に嵌め込まれている。表示モジュール２０は所定位置に突起部２７を有し、前キャビネット１０は、突起部２７に係合する凹部１１を有している。そして、前キャビネット１０の各部材は、表示モジュール２０の背面側で、表示モジュール２０と後側キャビネット３０とともにキャビネット固定ビス４０で固定される。【選択図】図２
2013064902.tif 000002
【特許請求の範囲】
【請求項１】
画像を表示する表示パネルを備えた矩形の表示モジュールと、該表示モジュールの周縁部を枠状に囲むキャビネットとを備えた表示装置であって、
前記キャビネットは、４つの部材よりなり、それぞれの前記部材が前記表示モジュールの矩形の各辺の周縁部に嵌め込まれていることを特徴とする表示装置。
【請求項２】
請求項１に記載の表示装置において、前記キャビネットの各部材は、断面の一部がコの字型を形成するように曲折され、該曲折された前記コの字型の部分が前記表示モジュールの周縁部に嵌め込まれていることを特徴とする表示装置。
【請求項３】
請求項２に記載の表示装置において、前記キャビネットの各部材は、前記コの字型の部分の内側底面が前記表示モジュールに接触していることを特徴とする表示装置。
【請求項４】
請求項１〜３のいずれか１に記載の表示装置において、前記表示モジュールは所定位置に突起部または凹部を有し、前記キャビネットの各部材は、前記キャビネットが前記表示モジュールに嵌め込まれた状態で前記表示モジュールが有する前記突起部に係合する凹部、または前期表示モジュールが有する凹部に係合する突起部を有していることを特徴とする表示装置。
【請求項５】
請求項１〜４のいずれか１に記載の表示装置において、前記表示モジュールの背面側を覆う後側キャビネットを有し、前記表示モジュールの周囲を枠状に囲むキャビネットの各部材は、前記表示モジュールの背面側で、前記表示モジュールと前記後側キャビネットとともに固定部材で固定されていることを特徴とする表示装置。
【発明の詳細な説明】
【技術分野】
【０００１】
本発明は、表示装置、より詳細には、表示パネルを有する表示モジュールの周縁部を枠状に囲むキャビネットを備えた表示装置に関する。
【背景技術】
【０００２】
液晶パネルやプラズマパネル等の表示パネルによって映像表示を行う薄型テレビなどの表示装置が普及している。表示装置は、表示パネルを含む表示モジュールの周縁部を枠状に囲むキャビネットを備えている。キャビネットに囲まれた領域で、視聴者は表示パネルに表示される映像を視認することができる。従来の一般的なキャビネットは、射出成形機にて一体的に成形され、表示モジュールに取り付けられた構成を有している。
【０００３】
図４は、従来の表示モジュールに対するキャビネットの取り付け構造の一例を説明するための図で、図中、１００は表示装置、２０は表示モジュール、２１は液晶パネル、２２は光学シート、２３は導光板、２４はモジュールシールド、２５はＬＥＤ基板、２６はＬＥＤ、３０は背面側キャビネット（裏キャビネット）、５０は前キャビネット、６０は背面側キャビネット固定ビス、６１は前キャビネット固定ビス、７０はモジュール固定金具である。
【０００４】
本例の表示装置１００は、ＬＥＤ２６をバックライトとする液晶表示装置として構成されている。表示モジュール２０は、表示パネルである液晶パネル２１、各種の光学シート２２、導光板２３、金属製のモジュールシールド２４、ＬＥＤ基板２５、及びＬＥＤ２６から構成されている。
【０００５】
前キャビネット５０は、矩形の表示モジュール２０の周縁部を枠状に囲むもので、表示モジュール２０のモジュールシールド２４に固定したモジュール固定金具７０に対して、前キャビネット固定ビス６１により固定される。そして、固定された前キャビネット５０に対して、背面側キャビネット３０が取り付けられ、背面側キャビネット３０とモジュールシールド２４とが、背面側キャビネット固定ビス６０によって固定されている。
【０００６】
表示モジュール２０の液晶表示パネル２１が視認できる側を表示装置１００の正面側とするとき、正面側から見える前キャビネット５０の面が所謂額縁となる。額縁は表示モジュール２０を枠状に囲むように設けられる。正面側から見える前キャビネットの幅Ｌを額縁幅とする。
【０００７】
図５は、上記図４の構成において、表示モジュール２０に前キャビネット５０を取り付けるときの状態を説明する図である。上記のように、表示モジュール２０の背面側に設けられているモジュールシールド２４（図５では見えない）に対して、モジュール固定金具７０が取り付けられている。このモジュール固定金具７０は、図５に示すように、表示モジュール２０の矩形の周縁から突出した形状になる。前キャビネット５０は、表示モジュール２０に取り付けたモジュール固定金具７０に対して、前キャビネット固定ビス６１により固定される。この後、背面側キャビネット３０（図５では図示せず）が表示モジュール２０の背面側に取り付けられる。
【０００８】
キャビネットの構造に関する技術に関し、例えば、特許文献１に記載のキャビネットは、その上下左右４方側面内側に、本体筐体の上下左右４方側面の開口部に設けた突起に係合させるための係合爪を有している。そして、この係合爪が突起に係合した状態で、係合爪を突起側に付勢する係合補助体を本体筐体の外面に装着することにより、直接ビスを用いることなくキャビネットを本体筐体と固定する。これにより、ビス締結によるねじりモーメントやストレスがキャビネットに加わるのを防ぐことができ、キャビネットの捩れや変形を無くし、高光沢仕上げであっても光の反射によるムラの発生を防ぎ、鏡面のような高級感のある外観を提供することができるとされている。
【先行技術文献】
【特許文献】
【０００９】
【特許文献１】特開２００９−２００５４３号公報
【発明の概要】
【発明が解決しようとする課題】
【００１０】
薄型テレビ等の表示装置は、近年更なる薄型化が進行し、スタイリッシュ感などのデザイン的な特性が重要視されている。このような状況において、デザイン性を改善するために、キャビネットにおいても狭額縁の実現が重要な位置付けとなっている。狭額縁とは、上記の前キャビネットの額縁幅Ｌを狭くすることである。
【００１１】
図４，図５に示すような従来の表示装置の場合、表示モジュール２０の矩形の周縁から突出したモジュール固定金具７０を使用するため、表示モジュール２０の周縁に空間が必要となり、構造上さらなる狭額縁構造を得ることができない。
また、従来のキャビネットは、通常、射出成型機で形成されるが、近年の薄型テレビ等の表示装置は大型化が進み、キャビネットの製造設備においても、金型や射出成形機が大型化し、コストも増大するという課題があった。
【００１２】
特許文献１のキャビネットは、本体筐体に対して係合補助体を使用してキャビネットを装着する構成を開示するものであり、上記のような狭額縁を実現するための構成については何ら開示するものではない。
【００１３】
本発明は、上述のごとき実情に鑑みてなされたものであって、狭額縁化によりデザイン上の品位を高めるとともに、小型の簡易な設備により低コストで製造できるキャビネットを備えた表示装置を提供することを目的とする。
【課題を解決するための手段】
【００１４】
上記課題を解決するために、本発明の第１の技術手段は、画像を表示する表示パネルを備えた矩形の表示モジュールと、該表示モジュールの周縁部を枠状に囲むキャビネットとを備えた表示装置であって、前記キャビネットは、４つの部材よりなり、それぞれの前記部材が前記表示モジュールの矩形の各辺の周縁部に嵌め込まれていることを特徴としたものである。
【００１５】
第２の技術手段は、第１の技術手段において、前記キャビネットの各部材が、断面の一部がコの字型を形成するように曲折され、該曲折された前記コの字型の部分が前記表示モジュールの周縁部に嵌め込まれていることを特徴としたものである。
【００１６】
第３の技術手段は、第２の技術手段において、前記キャビネットの各部材が、前記コの字型の部分の内側底面が前記表示モジュールに接触していることを特徴としたものである。
【００１７】
第４の技術手段は、第１〜３のいずれか１の技術手段において、前記表示モジュールは所定位置に突起部または凹部を有し、前記キャビネットの各部材は、前記キャビネットが前記表示モジュールに嵌め込まれた状態で前記表示モジュールが有する前記突起部に係合する凹部、または前期表示モジュールが有する凹部に係合する突起部を有していることを特徴としたものである。
【００１８】
第５の技術手段は、第１〜４のいずれか１の技術手段において、前記表示モジュールの背面側を覆う後側キャビネットを有し、前記表示モジュールの周囲を枠状に囲むキャビネットの各部材は、前記表示モジュールの背面側で、前記表示モジュールと前記後側キャビネットとともに固定部材で固定されていることを特徴としたものである。
【発明の効果】
【００１９】
本発明による表示装置によれば、狭額縁化によりデザイン上の品位を高めるとともに、小型の簡易な設備により低コストで製造できるキャビネットを備えた表示装置を提供することができる。
【図面の簡単な説明】
【００２０】
【図１】本発明による表示装置の一例を示す図で、表示装置を正面から見た外観構成を示すものである。
【図２】本発明に係る表示装置のキャビネットの取り付け構造の一例を説明するための図である。
【図３】図２の構成において、表示モジュールに前キャビネットを取り付けるときの状態を説明する図である。
【図４】従来の表示モジュールに対するキャビネットの取り付け構造の一例を説明するための図である。
【図５】図４の構成において、表示モジュールに前キャビネットを取り付けるときの状態を説明する図である。
【発明を実施するための形態】
【００２１】
図１は、本発明による表示装置の一例を示す図で、表示装置１を正面から見た外観構成を示すものである。表示装置１は、矩形の表示モジュール２０を備え、表示モジュール２０の周縁部には、前キャビネット１０が設けられる。前キャビネット１０は、表示モジュールの周縁部を枠状に囲む本発明のキャビネットに該当する。
表示装置１０の正面からは、前キャビネット１０に囲まれた表示モジュール２０の表示パネルが視認できる。表示パネルとしては液晶パネルなどが用いられ、ユーザに視認可能な映像表示が行われる。正面から視認できる前キャビネット１０は、上記のようにデザイン上のスタイリッシュ感等を重視する場合に、額縁幅Ｌを小さくする狭額縁化が望まれる。
【００２２】
本発明に係る実施形態では、前キャビネット１０を、４つの部材１０ａ〜１０ｄに分割し、それぞれの部材１０ａ〜１０ｄを矩形の表示モジュール２０の各辺の周縁部に嵌め込んで固定する。４つの部材１０ａ〜１０ｄに分割して製造することにより、中小型の成形機を用いることができるため製造設備が簡略化され、製造コスト及び輸送・補間コストを削減することができる。また、後述する構造上の理由から狭額縁化を実現し、デザイン的な品位を高めることができる。
【００２３】
図２は、本発明に係る表示装置のキャビネットの取り付け構造の一例を説明するための図である。本発明に係る実施形態の表示装置１は、ＬＥＤ２６をバックライトとする液晶表示装置として構成されている。表示モジュール２０は、表示パネルである液晶パネル２１、各種の光学シート２２、導光板２３、金属製のモジュールシールド２４、ＬＥＤ基板２５、及びＬＥＤ２６から構成されている。本実施形態では、液晶パネル２１の側方にＬＥＤ２６を配置した所謂エッジライト型の構成を採っているが、液晶パネル２１の直下（背面側）にＬＥＤ２６を設ける所謂直下型のものであってもよい。この他、バックライトとして蛍光管を用いたものでもよい。また、表示モジュールは、図示する液晶パネルを用いた構成の他、プラズマディスプレイ等の公知の他の表示方式の構成のものであってもよい。
【００２４】
前キャビネット１０は、矩形の表示モジュール２０の周縁部を枠状に囲むもので、表示モジュール２０の矩形の各辺の周縁部に嵌め込まれる４つの部材により構成されている。前キャビネット１０は、図示するように、断面の一部がコの字型の形状（図２のａｂｃｄを結ぶ形状）を有し、そのコの字型の部分が表示モジュール２０の周縁部に嵌め込まれる。コの字型の部分の一部（図２のａｂを結ぶ部分）は、表示装置１の正面から見える所謂額縁を構成する部分で、額縁幅Ｌが短いほど狭額縁の構成とすることができる。
【００２５】
表示モジュール２０が有するモジュールシールド２４には、所定位置に突起部２７が設けられる。そして、前キャビネット１０のコの字型の部分の内面には、凹部１１が設けられる。凹部１１は、紙面の厚さ方向に伸びる溝形状に形成される。そして前キャビネット１０のコの字型の部分を表示モジュール２０の周縁部に嵌め込んだときに、凹部１１と突起部２７とが係合し、表示モジュール２０に対する前キャビネット１０の位置が固定される。
【００２６】
この構造により、従来のような表示モジュール２０にモジュール固定金具７０を取り付けてビス止めする構成が不要となり、前キャビネット１０のコの字型の部分を表示モジュール２０の周縁部に近接させて配置させることができるため、狭額縁化してデザイン的な品位を高めることができる。図２の例では、コの字型の部分の内側底面が表示モジュール２０に接触している。この構成では、額縁幅Ｌを最小にすることができ、液晶パネル２１の周囲のモジュールシールド２４のサイズとほぼ同程度の狭額縁のキャビネット構造を実現することができる。
【００２７】
前キャビネット１０は、さらに表示装置１の背面側において、曲折して延伸する部分（図２のｄｅｆを結ぶ部分）を有している。背面側キャビネット３０、前キャビネット１０の上記延伸部分、及び表示モジュール２０のモジュールシールド２４には、それぞれ所定位置にビス孔３１，１２，２８が設けられている。そして、この前キャビネット１０の延伸部分と、モジュールシールド２４と、背面側キャビネット３０とをキャビネット固定ビス（固定部材）４０により一括して固定する。固定部材としては、キャビネット固定ビス４０に限定されず、係合爪による係合構造等を適用したものとしてもよい。このような一括固定により、組み立て工数を削減できる。
【００２８】
また、図４に示す従来の構成のように、モジュール固定金具７０を覆うように背面側キャビネット３０を配置する必要がないため、表示モジュール２０の周囲の額縁部分を薄型化することができ、この点においてもデザイン上の品位を高めることができる。
【００２９】
図３は、上記図２の構成において、表示モジュール２０に前キャビネット１０を取り付けるときの状態を説明する図である。上記のように、表示モジュール２０の周縁部を枠状に囲む前キャビネット１０は、４つの部材１０ａ，１０ｂ，１０ｃ，１０ｄ（図３では１０ａ，１０ｂのみを図示）に分割され、矩形の表示モジュール２０の各辺の周縁部に嵌め込まれる。
【００３０】
前キャビネット１０の各部材１０ａ〜１０ｄは、コの字型形状を有し、そのコの字型の部分が表示モジュール２０の周縁部に嵌め込まれる。また各部材１０ａ〜１０ｄは、コの字型の部分の内面に凹部１１を有している。凹部１１は、表示モジュール２０の矩形の辺方向に伸びる溝形状とされる。この凹部１１が表示モジュール２０に設けられた突起部２７に係合して固定される。なお、凹部１１は、図示するように溝形状ではなく、突起部２７に応じた窪み状の凹部でもよい。また、突起部２７の位置は、図３の例に限定されることなく適宜設定することができる。また、凹部１１を表示モジュール２０に設け、その凹部１１に係合する突起部２７を前キャビネット１０の各部材１０ａ〜１０ｄに設けた構成としてもよい。そしてこの後、背面側キャビネット３０（図３では図示せず）が表示モジュール２０の背面側に取り付けられる。
【符号の説明】
【００３１】
１…表示装置、１０…前キャビネット、１０…表示装置、１０ａ，１０ｂ，１０ｃ，１０ｄ…部材、１１…凹部、１２…ビス孔、２０…表示モジュール、２１…液晶パネル、２２…光学シート、２３…導光板、２４…モジュールシールド、２５…ＬＥＤ基板、２６…ＬＥＤ、２７…突起部、２８…ビス孔、３０…背面側キャビネット、３１…ビス孔、４０…キャビネット固定ビス、５０…前キャビネット、６０…背面側キャビネット固定ビス、６１…前キャビネット固定ビス、７０…モジュール固定金具、１００…表示装置。
【図１】
2013064902.tif 000003
【図２】
2013064902.tif 000004
【図３】
2013064902.tif 000005
【図４】
2013064902.tif 000006
【図５】
2013064902.tif 000007